(57)【要約】【解決手段】互いに部分的に重なり合う側壁２が底部１方向に倒された際に、互いに部分的に重なり合う側壁２に形成された雄ヒンジ部材Ｈ２が、該雄ヒンジ部材Ｈ２に対応して、前記底部１の土手部１ａに形成された雌ヒンジ部材Ｈ１の切欠き凹部ｈ２内を移動可能なように構成した折り畳みコンテナーに関するものである。【効果】折り畳まれた状態の折り畳みコンテナーの高さを、一対の側壁が傾斜状態で重ねられる従来の折り畳みコンテナーに比べて、低くすることができ、従って、折り畳まれた状態の折り畳みコンテナーを段積みして収容する際の収容効率を向上することができる。【選択図】図６
2005298043.tif 000002
【特許請求の範囲】
【請求項１】
底部の一方の相対する辺部に形成された土手部に、一方の相対する側壁がヒンジ連結され、底部のもう一方の相対する辺部に形成された土手部に、もう一方の相対する側壁がヒンジ連結されているとともに、箱型に組み立てられた状態から、前記側部を底部方向に倒すことにより折り畳むように構成された折り畳みコンテナーにおいて、互いに部分的に重なり合う側壁が底部方向に倒された際に、前記互いに部分的に重なり合う側壁に形成された雄ヒンジ部材が、該雄ヒンジ部材に対応して、前記底部の土手部に形成された雌ヒンジ部材の切欠き凹部内を移動可能としたことを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、底部の一方の相対する辺部に形成された土手部に、適当なヒンジ部材を介して、一方の相対する側壁をヒンジ連結するとともに、底部のもう一方の相対する辺部に形成された土手部に、同じく、適当なヒンジ部材を介して、もう一方の相対する側壁をヒンジ連結して構成された折り畳みコンテナーが、一例として、特許文献１に開示されている。
【特許文献１】実公平７−２４１３号公報
【０００３】
特許文献１に開示されている折り畳みコンテナーは、箱型に組み立てられた状態から、先ず最初に、一方の相対する側壁を、底部方向に倒して、底部に重ね、次いで、もう一方の相対する側壁を、同じく底部方向に倒して、底部に重ねられている一方の相対する側壁の上に重ねることにより、折り畳むことができるように構成されている。
【発明の開示】
【発明が解決しようとする課題】
【０００４】
上述した従来の折り畳みコンテナーにおいては、相対する側壁を、底部方向に倒した際に、側壁同士が重なる場合があり、このように、側壁同士が重なると、上に位置する側壁が傾斜して、折り畳みコンテナーの折り畳み高さが高くなるという問題がある。
【０００５】
本発明の目的は、上述した従来の折り畳みコンテナーが有する課題を解決することにある。
【課題を解決するための手段】
【０００６】
本発明は、上述した目的を達成するために、底部の一方の相対する辺部に形成された土手部に、一方の相対する側壁がヒンジ連結され、底部のもう一方の相対する辺部に形成された土手部に、もう一方の相対する側壁がヒンジ連結されているとともに、箱型に組み立てられた状態から、前記側部を底部方向に倒すことにより折り畳むように構成された折り畳みコンテナーにおいて、互いに部分的に重なり合う側壁が底部方向に倒された際に、互いに部分的に重なり合う側壁に形成された雄ヒンジ部材が、該雄ヒンジ部材に対応して、前記底部の土手部に形成された雌ヒンジ部材の切欠き凹部内を移動可能としたものである。
【発明の効果】
【０００７】
本発明は、上述した構成を有するので、以下に記載する効果を奏することができるものである。
【０００８】
互いに部分的に重なり合う側壁が底部方向に倒された際に、互いに部分的に重なり合う側壁に形成された雄ヒンジ部材が、該雄ヒンジ部材に対応して、底部の土手部に形成された雌ヒンジ部材の切欠き凹部内を、移動可能なように構成したので、部分的に互いに重なり合うように倒される一対の側壁を、略水平状態に倒すことができるので、折り畳まれた状態の折り畳みコンテナーの高さを、一対の側壁が傾斜状態で重ねられる従来の折り畳みコンテナーに比べて、低くすることができ、従って、折り畳まれた状態の折り畳みコンテナーを段積みして収容する際の収容効率を向上することができる。
【実施例】
【０００９】
以下に、本発明の実施例について説明するが、本発明の趣旨を越えない限り、何ら、本実施例に限定されるものではない。
【００１０】
先ず最初に、図１〜図３を用いて、本発明の折り畳みコンテナーの全体構成について説明する。
【００１１】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。また、長辺側土手部１ａ及び短辺側土手部１ｂには、後述する雌ヒンジ部材Ｈ１が、所定の間隔で適当数、配設されている。
【００１２】
２は、長側壁であり、長側壁２の下部フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下部フランジ３ａの裏面にも、底部１の短側壁土手部１ｂに配設された雌ヒンジ部材Ｈ１に対応して、後述する雄ヒンジ部材Ｈ２が配設されている。
【００１３】
長側壁２の下部フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下部フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１４】
長側壁２の横長の略長方形状の板状部２ｂの両端部には、板状部２ｂに対して略直角方向に延在する縦長の係合枠４が形成されており、係合枠４には、適当数の透孔４ａが穿設されている。また、係合枠４付近に位置する板状部２ｂに、コの字状のスリット５を形成することにより、係合枠４側が自由端に形成された弾性舌片６が形成されている。弾性舌片６の先端部には、係合枠４と対向するように、係止凸部６ａが形成されている。
【００１５】
短側壁３の横長の略長方形状の板状部３ｂの両端部には、板状部３ｂを延長することにより、縦長の係合枠７が形成されており、係合枠７には、長側壁２の係合枠４に穿設されている透孔４ａに嵌合する嵌合突起７ａが形成されている。
【００１６】
図３に示されているように、折り畳まれた状態から、図１に示されているように、箱型に組み立てるには、先ず最初に、略水平状態の長側壁２を、略垂直に立て、次いで、短側壁３を、略垂直に立てられた長側壁２方向に回動させると、短側壁３の係合枠７に形成された嵌合突起７ａの長側壁２の係合枠４に穿設された透孔４ａへの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押された弾性舌片６が、その復元力により戻り、弾性舌片６の係止凸部６ａが、略垂直に立てられた短側壁３の係合枠７に当接して、短側壁３の底部１方向への回動を阻止するように構成されている。
【００１７】
また、箱型に組み立てられた折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００１８】
上述したように、折り畳まれた状態においては、略垂直状態から、先に倒される短側壁３は、底部１に重ねられた際には、短側壁３同士が互いに重なり合うようなことはなく、短側壁３の上部フランジ３ｃ間には、所定の間隙が形成されるように構成されている。一方、後から倒される長側壁２は、略垂直状態から倒された際には、長側壁２同士が、互いに部分的に重なり合うように構成されている。
【００１９】
次に、図４〜図７を用いて、底部１の長辺側土手部１ａに配設されている雌ヒンジ部材Ｈ１を例に、雌ヒンジ部材Ｈ１について説明するとともに、長側壁２の下部フランジ２ａに配設されている雄ヒンジ部材Ｈ２を例に、雄ヒンジ部材Ｈ２について説明する。
【００２０】
底部１の長辺側土手部１ａは、底部１の底板１ｃの縁部から上方に略垂直に延在する内側垂直部１ａ１と、内側垂直部１ａ１の上端から外側に略水平に延在する水平部１ａ２と、水平部１ａ２の縁部から内側垂直部１ａ１と略平行に下方に延在する外側垂直部１ａ３とから構成されており、長手方向に対して垂直な断面形状が、略逆Ｕ字状に形成されている。
【００２１】
長辺側土手部１ａの水平部１ａ２には、平面形状が長方形の縦孔ｈ１が穿設されている。また、長辺側土手部１ａの内側垂直部１ａ１には、上方が開放されているとともに、底板１ｃ方向に延在する方形状の切欠き凹部ｈ２が形成されている。切欠き凹部ｈ２の横幅（長辺側土手部１ａの長手方向に沿った長さ）Ｗ１は、縦孔ｈ１の長辺長さ（長辺側土手部１ａの長手方向に沿った長さ）Ｗ２ａより短く、且つ、切欠き凹部ｈ２は、縦孔ｈ１の長辺の略中央部に位置している。
【００２２】
切欠き凹部ｈ２の両側に位置する内側垂直部１ａ１の内面（外側垂直部１ａ３側に位置する面）の上端部には、フックｈ３が突設されており、フックｈ３は、長辺側土手部１ａの水平部１ａ２から外側垂直部１ａ３に向かって、外側垂直部１ａ３に徐々に接近するように傾斜した上部傾斜面ｈ３ａと略水平な庇部ｈ３ｂとにより構成されている。
【００２３】
上述した長辺側土手部１ａに形成された縦孔ｈ１と切欠き凹部ｈ２とフックｈ３とにより、雌ヒンジ部材Ｈ１が構成されている。
【００２４】
一方、長側壁２の板状部２ｂに垂直な下部フランジ２ａの裏面には、雄ヒンジ部材Ｈ２が形成されている。雄ヒンジブ部材Ｈ２は、所定の間隔をおいて、且つ、下部フランジ２ａの長手方向に対して垂直に、下部フランジ２ａの裏面に垂設されている板状の支持片ｈ１０を有しており、一対の支持片ｈ１０は、連結片ｈ１１により連結されている。一対の支持片ｈ１０の外側面（一対の支持片ｈ１０の相対する面とは反対側の面）間の幅Ｗ３は、切欠き凹部ｈ２の横幅Ｗ１より、若干、狭く形成されており、一対の支持片ｈ１０が、切欠き凹部ｈ２に挿入可能なように構成されている。また、一対の支持片ｈ１０の外側面の下端部には、ヒンジブロックｈ１２が取着されており、ヒンジブロックｈ１２の下部フランジ２ａとの対向面（以下、上面という。）ｈ１２ａは、下部フランジ２ａと略平行な平坦面として形成されており、更に、上記の上面ｈ１２ａの板状部２ｂ側に位置する端部には、略直方体状の当接ブロック部ｈ１２ｂが突設されている。
【００２５】
ヒンジブロックｈ１２の下部フランジ２ａに対して垂直方向の幅（ヒンジブロックｈ１２の底面ｈ１２ｃから当接ブロック部ｈ１２ｂの上面までの高さ）Ｗ４は、底部１の長辺側土手部１ａの外側垂直部１ａ３と内側垂直部１ａ１の内面に突設されたフックｈ３の先端との間の間隙Ｗ５より、若干、広く形成されている。
【００２６】
上述した一対の支持片ｈ１０と連結片ｈ１１と当接ブロック部ｈ１２ｂを有するヒンジブロックｈ１２とにより、雄ヒンジ部材Ｈ２が構成されている。
【００２７】
雄ヒンジ部材Ｈ２の長側壁２の板状部２ｂに沿った幅（一対のヒンジブロックｈ１２の垂直側面ｈ１２ｄ間の間隔）Ｗ６は、雌ヒンジ部材Ｈ１を構成する縦孔ｈ１の長辺長さＷ２ａより、若干、短く、また、一対の支持片ｈ１０の厚さ（長側壁２の板状部２ｂに対して、垂直方向の長さ）Ｗ７は、雌ヒンジ部材Ｈ１を構成する縦孔ｈ１の短辺長さ（長辺側土手部１ａの長手方向に対して垂直方向の長さ）Ｗ２ｂより、若干、短く形成されており、従って、長側壁２の下部フランジ２ａの裏面に形成された雄ヒンジ部材Ｈ２は、雌ヒンジ部材Ｈ１を形成する長辺側土手部１ａに形成された縦孔ｈ１に挿入可能なように構成されている。
【００２８】
底部１と長側壁２とをヒンジ連結するには、図５に示されているように、長側壁２を、底部１と略平行になるように、略水平状態に配置し、その後、その状態を維持したまま、長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入すると、ヒンジブロックｈ１２の下部フランジ２ａに対して垂直方向の幅Ｗ４は、底部１の長辺側土手部１ａの外側垂直部１ａ３と内側垂直部１ａ１の内面に突設されたフックｈ３の先端との間の間隙Ｗ５より、若干、広く形成されているので、ヒンジブロックｈ１２は、図５に示されているように、底部１の長辺側土手部１ａの内側垂直部１ａ１に形成された切欠き凹部ｈ２の両側に位置する内側垂直部１ａ１の内面に突設されたフックｈ３の上部傾斜面ｈ３ａに載置されることになる。その後、長側壁２と底部１とが略水平状態を維持したまま、長側壁２を、更に、底部１に向かって、強制的に下降させると、ヒンジブロックｈ１２は、長辺側土手部１ａの内側垂直部１ａ１或いは／及び外側垂直部１ａ３を湾曲変形させて、底部１に形成された長辺側土手部１ａの外側垂直部１ａ３と内側垂直部１ａ１の内面に突設されたフックｈ３との間の間隙Ｗ５を拡げることにより、長辺側土手部１ａの外側垂直部１ａ３と内側垂直部１ａ１の内面に突設されたフックｈ３との間を通過し、図６に示されているように、底部１に形成された長辺側土手部１ａの外側垂直部１ａ３と内側垂直部１ａ１との間に配置されることになる。このようにして、底部１の長辺側土手部１ａに配設された雌ヒンジ部材Ｈ１と長側壁２に配設された雄ヒンジ部材Ｈ２とがヒンジ連結されることになる。
【００２９】
折り畳みコンテナーが折り畳まれた状態から、略水平状態の長側壁２を、略垂直に立てると、図７に示されているように、ヒンジブロックｈ１２の当接ブロック部ｈ１２ｂが、底部１に形成された長辺側土手部１ａの内側垂直部１ａ１に突設されたフックｈ３の庇部ｈ３ｂの下に入り込むとともに、長側壁２の下部フランジ２ａが、底部１の長辺側土手部１ａの水平部１ａ２に載置されることになる。そして、フックｈ３の庇部ｈ３ｂの下に入り込んだヒンジブロックｈ１２の当接ブロック部ｈ１２ｂは、フックｈ３の庇部ｈ３ｂと当接するように、或いは、庇部ｈ３ｂに接近した位置をとるように構成されており、従って、折り畳みコンテナーが、箱型に組み立てられた状態においては、長側壁２が、上下方向にがたつくようなことがない。
【００３０】
図８に示されているように、底部１の短辺側土手部１ｂは、長辺側土手部１ａに比べて、高さが低いだけで、その構成は実質的に同じであり、底部１の底板１ｃの縁部から上方に略垂直に延在する内側垂直部１ｂ１と、内側垂直部１ｂ１の上端から外側に略水平に延在する水平部１ｂ２と、水平部１ｂ２の縁部から内側垂直部１ｂ１と略平行に下方に延在する外側垂直部１ｂ３とから構成されており、短辺側土手部１ｂにも、上述した雌ヒンジ部材Ｈ１が形成されている。また、短側壁３の下部フランジ短側壁３の下部フランジ３ａの裏面にも、底部１の短側壁土手部１ｂに配設された雌ヒンジ部材Ｈ１に対応して、上述した雄ヒンジ部材Ｈ２が形成されている。そして、底部１の短辺側土手部１ｂに配設された雌ヒンジ部材Ｈ１と短側壁３に配設された雄ヒンジ部材Ｈ２とがヒンジ連結されることになる。
【００３１】
底部１の短辺側土手部１ｂに形成されている雌ヒンジ部材Ｈ１を構成する切欠き凹部ｈ２は、底部１の底板１ｃまで、或いは、底板１ｃ付近まで延在している。換言すれば、切欠き凹部ｈ２の下端ｈ２ａは、底部１の底板１ｃと面一か、或いは、底板１ｃ付近に位置している。このように構成することにより、短側壁３を、図２に示されているように、底部１方向に倒した際に、短側壁３に配設された雄ヒンジ部材Ｈ２の支持片ｈ１０が、短辺側土手部１ｂに形成されている雌ヒンジ部材Ｈ１を構成する切欠き凹部ｈ２の下端ｈ２ａに当接するようなことがなく、図９に示されているように、短側壁３の板状部３ｂの略全面が、底部１の底板１ｃに実質的に接触するように、短側壁３を、底部１の底板１ｃに重ねることができる。なお、図８に示されているように、本実施例には、切欠き凹部ｈ２の下端ｈ２ａが、底部１の底板１ｃと面一の場合が示されている。
【００３２】
長辺側土手部１ａの内側垂直部１ａ１に形成されている切欠き凹部ｈ２の両側に位置する内側垂直部１ａ１の内面の上端部に突設されたフックｈ３の庇部ｈ３ｂの下に位置している切欠き凹部ｈ２の高さ、換言すれば、フックｈ３の庇部ｈ３ｂから切欠き凹部ｈ２の下端ｈ２ａまでの高さＷ８は、雄ヒンジ部材Ｈ２を構成する支持片ｈ１０の厚さＷ７の２倍以上の高さを有している。また、長辺側土手部１ａの内側垂直部１ａ１に形成されている切欠き凹部ｈ２の下端ｈ２ａは、底部１の底板１ｃの略全面に接触するように、底部１の底板１ｃに重ねられた状態の短側壁３の上面と略同じ位置、或いは、それ以下に位置するように構成されている。
【００３３】
箱型に組み立てられた折り畳みコンテナーを折り畳むには、上述したように、先ず最初に、略垂直な相対する短側壁３を、底部１方向に倒して、底部１に重ねる。このようにして、略水平状態に、底部１に重ねられた相対する短側壁３は、短側壁３同士が、部分的にせよ、互いに重なり合うようなことはない。次いで、略垂直な相対する長側壁２のうちの一方の長側壁２を、底部１方向に倒して、底部１に重ねられた短側壁３の上に重ねることになるが、略垂直状態の一方の長側壁２の底部１方向への回動途中において、長辺側土手部１ａの水平部１ａ２に載置されていた、一方の長側壁２の下部フランジ２ａが、水平部１ａ２から外れることになる。その後、一方の長側壁２を略水平状態に維持したまま、一方の長側壁２に配設された雄ヒンジ部材Ｈ２の支持片ｈ１０を、長辺側土手部１ａに形成されている雌ヒンジ部材Ｈ１を構成する切欠き凹部ｈ２に沿って下方に移動させて、一方の長側壁２の板状部２ｂの略全面が、底部１に重ねられている短側壁３に接触するように、一方の長側壁２を、底部１に重なるように先に倒されている短側壁３の上に略水平状態に重ねる。
【００３４】
次いで、相対する略垂直な長側壁２のうちのもう一方の長側壁２を、底部１方向に倒して、先に略水平状態に、短側壁３の上に重ねられた一方の長側壁２の上に重ねることになるが、相対する略垂直な長側壁２のうちの先に倒された長側壁２は、上述したように、底部１に重なるように先に倒されている短側壁３の上に略水平状態に重ねられているので、後から倒される長側壁２が、先に倒された略水平状態の長側壁２に、部分的に面接触するように、先に倒された略水平状態の長側壁２の上に、略水平状態に重ねられることになる。
【００３５】
上述したようにして、図３や図６に示されているように、部分的に互いに重なり合うように倒される一対の長側壁２を、略水平状態に、先に底部１に重なるように倒された略水平状態の短側壁３の重ねることができるので、折り畳まれた状態の折り畳みコンテナーの高さを、一対の長側壁２が傾斜状態で重ねられる従来の折り畳みコンテナーに比べて、低くすることができ、従って、折り畳まれた状態の折り畳みコンテナーを段積みして収容する際の収容効率を向上することができる。
【００３６】
上述した実施例には、高さの高い長辺側土手部１ａに、長側壁２をヒンジ連結し、高さの低い短辺側土手部１ｂに、短側壁３をヒンジ連結し、箱型に組み立てられた折り畳みコンテナーを折り畳むには、最初に、相対する短側壁３を、底部１に重なるように対し、次いで、相対する長側壁２のうちの一方の長側壁２を、短側壁３に重なるように略水平状態に倒し、その後、相対する長側壁２のうちのもう一方の長側壁２を、一方の長側壁２に重なるように略水平状態に倒すようにした例が示されているが、短辺側土手部１ｂの高さを、長辺側土手部１ａの高さより高くすることにより、最初に、相対する長側壁２の一方の長側壁２を、底部１に重なるように略水平状態に倒し、次いで、もう一方の長側壁２を、一方の長側壁２に重なるように略水平状態に倒し、その後、相対する短側壁３を、もう一方の長側壁２に重なるように倒すように構成することもできる。
【図面の簡単な説明】
【００３７】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁と底部とのヒンジ連結を説明するための部分分解斜視図である。
【図５】図５は、本発明の折り畳みコンテナーの長側壁と底部とのヒンジ連結を説明するためのヒンジ連結部分の垂直断面図である。
【図６】図６は、同じく、本発明の折り畳みコンテナーの長側壁と底部とのヒンジ連結を説明するためのヒンジ連結部分の垂直断面図である。
【図７】図７は、同じく、本発明の折り畳みコンテナーの長側壁と底部とのヒンジ連結を説明するためのヒンジ連結部分の垂直断面図である。
【図８】図８は、本発明の折り畳みコンテナーの短側壁と底部とのヒンジ連結を説明するための部分分解斜視図である。
【図９】図９は、本発明の折り畳みコンテナーの短側壁が底部に重ねられた状態のヒンジ連結部分の垂直断面図である。
【符号の説明】
【００３８】
Ｈ１・・・・・・・・・・・・・雌ヒンジ部材
ｈ１・・・・・・・・・・・・・縦孔
ｈ２・・・・・・・・・・・・・切欠き凹部
ｈ３・・・・・・・・・・・・・フック
Ｈ２・・・・・・・・・・・・・雄ヒンジ部材
ｈ１０・・・・・・・・・・・・支持片
ｈ１２・・・・・・・・・・・・ヒンジブロック
１・・・・・・・・・・・・・・底部
１ａ・・・・・・・・・・・・・長辺側土手部
１ａ１・・・・・・・・・・・・内側垂直部
１ａ２・・・・・・・・・・・・水平部
１ａ３・・・・・・・・・・・・外側垂直部
１ｃ・・・・・・・・・・・・・底板
１ｂ・・・・・・・・・・・・・短辺側土手部
２・・・・・・・・・・・・・・長側壁
３・・・・・・・・・・・・・・短側壁
【図１】
2005298043.tif 000003
【図２】
2005298043.tif 000004
【図３】
2005298043.tif 000005
【図４】
2005298043.tif 000006
【図５】
2005298043.tif 000007
【図６】
2005298043.tif 000008
【図７】
2005298043.tif 000009
【図８】
2005298043.tif 000010
【図９】
2005298043.tif 000011